(57)【要約】【課題】裏面側の見栄えがよく、太陽電池モジュール耐久性の観点からも問題がなく、また、エコケーブルであっても、ケーブル長さを節約でき、さらに、端子ボックス等の接続ケーブル引出しに関して、対ケーブル引張り力を強化した太陽電池モジュールを得る。【解決手段】端子ボックス８３を太陽電池モジュール８１の裏面に配設した端子ボックス付太陽電池モジュール１０において、ケーブル保持部１２を有するケーブルクランプ１１を備え、ケーブルクランプ１１は太陽電池モジュール８１の裏面８２に取付けられ、ケーブル保持部１２は、接続ケーブル外周の裏面側を少なくとも保持して接続ケーブルを誘導し導出するものである【選択図】図１
0003140226.tif 000002
【実用新案登録請求の範囲】
【請求項１】
太陽電池モジュール中の太陽電池セルにより発電される電力を接続ケーブルに伝達する端子ボックスを太陽電池モジュールの裏面に配設した端子ボックス付太陽電池モジュールにおいて、
ケーブル保持部を有するケーブルクランプを備え、
前記ケーブルクランプは太陽電池モジュールの裏面に取付けられ、
前記ケーブル保持部は、前記接続ケーブル外周の裏面側を少なくとも保持して、前記接続ケーブルを誘導し導出するものである端子ボックス付太陽電池モジュール。
【請求項２】
前記ケーブルクランプの材質は、変性ポリフェニレンエーテル、ポリフェニレンエーテルまたはポリフェニレンスルフィドである請求項１に記載した端子ボックス付太陽電池モジュール。
【請求項３】
前記端子ボックスは、端子ボックスの側面から接続ケーブルを引出すものであり、
端子ボックスにおける接続ケーブル引出し方向を太陽電池モジュールの底面に投影した方向と、ケーブルクランプにおける出力ケーブル導出方向を太陽電池モジュールの底面に投影した方向の交差角（一対の角度のなかで数値が小さい方の角度）が６０度から１８０度の間にある請求項１乃至２いずれかに記載した端子ボックス付太陽電池モジュール。
【請求項４】
前記ケーブルクランプはさらに取付け部を有し、前記取付け部が前記太陽電池モジュールの裏面に接触することにより、前記ケーブルクランプが太陽電池モジュールの裏面に取付けられている請求項１乃至３いずれかに記載の端子ボックス付太陽電池モジュール。
【請求項５】
前記ケーブルクランプはさらに取付け部を有し、前記取付け部が前記端子ボックスと接触し、前記ケーブルクランプは前記端子ボックスを介在して太陽電池モジュールの裏面に取付けられている請求項１乃至３いずれかに記載の端子ボックス付太陽電池モジュール。
【請求項６】
前記端子ボックスが中継器を兼用する端子ボックスであり、前記接続ケーブルは、正極用ケーブルが２本以上及び／または負極用ケーブルが２本以上存在する請求項１乃至５いずれかに記載した端子ボックス付太陽電池モジュール。
【考案の詳細な説明】
【技術分野】
【０００１】
本考案は、太陽光発電システムを構成する太陽電池モジュールに関するものであり、より詳しくは、端子ボックスより引出される接続ケーブルの整理を企画した太陽電池モジュールに関するものである。
【背景技術】
【０００２】
太陽光発電システムは複数の太陽電池モジュールを含む。通常、複数の太陽電池モジュールが直列及び／または並列に接続され、出力母線に接続される。従って太陽光発電システムには多数のケーブルが存在する。
【０００３】
太陽電池モジュールは、大別すると、汎用タイプに代表される裏面が開放されているタイプと屋根材一体型に代表される裏面全面を覆う部材が取付けられているタイプに分類できる。
【０００４】
汎用タイプにあっては、例えば、既設の屋根に架台を組んで、架台上に複数の太陽電池モジュールが設置される。汎用タイプ太陽電池モジュールは、通常周辺部に枠体（例えば断面コの字型のアルミニウム製枠）がある。接続ケーブルや出力母線などは、従来、枠体の空間に、格別の固定手段なく、収められている。
【０００５】
従来の屋根材一体型太陽電池モジュールにあっては、屋根材ブロックの上面に太陽電池を設けた構成になり、その複数枚をアレイ状に並べて屋根面に横葺きし、その棟側に沿って敷設した配線ケーブルに太陽電池を直列もしくは並列に接続して太陽光発電システムを構築する屋根材一体型太陽電池モジュールにおいて、屋根材ブロックの後縁（棟側）に、配線ケーブルを屋根材ブロックに添わせて保持するケーブルクランプ部材（樹脂成形した独立部品）を付設し、屋根材ブロックの葺設と並行して行う配線作業の際に、前記ブロック列の棟側に引回した配線ケーブルを、クランプ部材を介して屋根材ブロックの後縁に固定した太陽電池モジュールが知られている。（例えば特許文献１参照。）
【特許文献１】特開２００４−２３８９９７号公報
【考案の開示】
【考案が解決しようとする課題】
【０００６】
従来の屋根材ブロックにケーブルクランプを付設した屋根材一体型太陽電池モジュールにあっては、太陽電池モジュール裏面に取付けられた端子ボックスから配線ケーブルまでの接続ケーブル部分は、太陽電池モジュールの裏面と屋根材ブロックの間に存在する空間に、なんらの固定手段なく収められている。
【０００７】
近年、一枚の太陽電池モジュールは大きくなっており、例えば１ｍ×１ｍを超える太陽電池モジュールであれば、固定されることなく裏面に存在するケーブルの長さは、１ｍに近くなる。汎用タイプの太陽電池モジュールであれば、太陽電池モジュールの裏面に、何らの覆いもなくケーブルが遊離で存在するので、見栄えが悪く、製品耐久性の観点からも不都合である。屋根材一体型の太陽電池モジュールにあっては、屋根材で目隠しされているもののやはり、製品耐久性の観点から不都合である。
【０００８】
また、近年、地球環境保全の観点から、電気ケーブルはエコケーブルが多用されつつある。従来太陽電池モジュールの接続ケーブルや出力母線に使用されていた塩化ビニル系樹脂被覆電線は、ポリエチレン系樹脂被覆電線（エコケーブル）に変更されつつある。ポリエチレン系樹脂被覆電線は、柔軟性に乏しく、また、クセ付けが困難（すなわち、外力を加えて曲げても外力を開放すると元の状態に戻る）である。接続ケーブルを曲線にして使用する箇所で、エコケーブルを遊離状態にすれば、曲線の半径が大きくなり、従来のケーブルよりも長寸法が必要になってしまう。
【０００９】
さらに、太陽電池モジュールは、大型の平板上構造物であり、持ち手が少ない。また、重量物でありこれを移動するのは簡単ではない。裏面に取付けられている接続ケーブルは意図せぬ格好の手掛かりになってしまう。特に太陽光発電システム組み立て時に、太陽電池に詳しくない人が関与すると、移動時の手がかりとして接続ケーブルを持ってしまい、端子ボックス、中継器などに不測の力がかかる場合がある。
【００１０】
また、汎用のモジュールは、接続線を角度１８０度回転させて隣接するモジュールに接続したり、９０度回転させて接続したりする場合もある。このような角度付けを強引に行うと端子ボックスの接続ケーブル引出し部分の破損につながる。特に、エコケーブルを強引に角度付けると破損につながり易い。
【００１１】
図９は第１１太陽電池モジュール１０１と第１２太陽電池モジュール１０３を長辺方向に並置し、両者を並列に接続した接続時の接続ケーブルの状態を示す説明図である。矢印１０５で示す接続ケーブルの１８０度回転位置が存在する。第１１端子ボックス１０２と第１２端子ボックス１０４を太陽電池モジュールの底面に取り付け、接続ケーブルを引出している。図１０〜図１２についても同様である。
【００１２】
図１０は第１１太陽電池モジュール１０１と第１２太陽電池モジュール１０３を長辺方向に並置し、両者を直列に接続した接続時の接続ケーブルの状態を示す説明図である。矢印１０５で示す接続ケーブルの１８０度回転位置が存在する。
【００１３】
図１１は第１１太陽電池モジュール１０１と第１２太陽電池モジュール１０３を短辺方向に並置し、両者を並列に接続した接続時の接続ケーブルを示す説明図である。矢印１０６で示す接続ケーブルの９０度回転位置が存在する。図１２は第１１太陽電池モジュール１０１と第１２太陽電池モジュール１０３を短辺方向に並置し、両者を直列に接続した接続時の接続ケーブルを示す説明図である。矢印１０６で示す接続ケーブルの９０度回転位置が存在する。
【００１４】
さらにまた、エコケーブルの硬さから、端子ボックスや中継ボックスを太陽電池モジュールの裏面に接着する場合に、くせが付いたケーブルが端子ボックスと太陽電池モジュール底面の接着を邪魔することがあり、これに対抗して特別の暫定固定が必要となり、新たな製造コスト増大の原因となることもある。
【００１５】
そこで、本考案は、裏面側の見栄えがよく、太陽電池モジュール耐久性の観点からも問題のない太陽電池モジュールを得ることを課題とする。また、エコケーブルであっても、最小限の長さを用いて不都合がなく、ケーブル長さを節約できる太陽電池モジュールを得ることを課題とする。さらに、端子ボックス等の接続ケーブル引出しに関して、対ケーブル引張り力を強化した太陽電池モジュールを得ることを課題とする。
【００１６】
本考案のその他の課題は、本考案の説明により明らかになる。
【課題を解決するための手段】
【００１７】
本考案にかかる端子ボックス付太陽電池モジュールは、太陽電池モジュール中の太陽電池セルにより発電される電力を接続ケーブルに伝達する端子ボックスを太陽電池モジュールの裏面に配設した端子ボックス付太陽電池モジュールにおいて、ケーブル保持部を有するケーブルクランプを備え、前記ケーブルクランプは太陽電池モジュールの裏面に取付けられ、前記ケーブル保持部は、前記接続ケーブル外周の裏面側を少なくとも保持して、前記接続ケーブルを誘導し導出するものである。
【００１８】
本考案の好ましい実施態様において、前記ケーブルクランプの材質は、変性ポリフェニレンエーテル、ポリフェニレンエーテルまたはポリフェニレンスルフィドであってもよい。
【００１９】
本考案の他の好ましい実施態様において、前記端子ボックスは、端子ボックスの側面から接続ケーブルを引出すものであり、端子ボックスにおける接続ケーブル引出し方向を太陽電池モジュールの底面に投影した方向と、ケーブルクランプにおける出力ケーブル導出方向を太陽電池モジュールの底面に投影した方向の交差角が６０度から１８０度の間にあってもよい。
ここで、交差角とは、交差する２つの線分がつくる一対の角度のなかで数値が小さい方の角度を意味する。
【００２０】
本考案のその他の好ましい実施態様において、前記ケーブルクランプはさらに取付け部を有し、前記取付け部が前記太陽電池モジュールの裏面に接触することにより、前記ケーブルクランプが太陽電池モジュールの裏面に取付けられていてもよい。
【００２１】
本考案の更に他の好ましい実施態様において、前記ケーブルクランプはさらに取付け部を有し、前記取付け部が前記端子ボックスと接触し、前記ケーブルクランプは前記端子ボックスを介在して太陽電池モジュールの裏面に取付けられていてもよい。
【００２２】
本考案の他の好ましい実施態様において、前記端子ボックスが中継器を兼用する端子ボックスであり、前記接続ケーブルは、正極用ケーブルが２本以上及び／または負極用ケーブルが２本以上存在するものであってもよい。
【００２３】
以上説明した本考案、本考案の好ましい実施態様、これらに含まれる構成要素は可能な限り組み合わせて実施することができる。
【考案の効果】
【００２４】
請求項１にかかる考案によれば、裏面側の見栄えがよく、太陽電池モジュール耐久性の観点からも問題がないケーブルクランプ・端子ボックス付太陽電池モジュールとなる。また、硬くくせ付けが困難なエコケーブルであっても、最短距離でケーブルを引き回すことができるので、接続ケーブルの長さを節約できる。さらに、端子ボックスのみならず、ケーブルクランプも接続ケーブルに付加される引っ張り力を受け取るので、接続ケーブル引出しに関して、対ケーブル引張り力を強化した太陽電池モジュールを得ることができる。
【００２５】
請求項２にかかる考案によれば、一層、対候性や耐熱性を備えた太陽電池モジュールを得ることができる。
【００２６】
請求項３にかかる考案によれば、硬いエコケーブルであっても、自在の方向に接続可能な太陽電池モジュールを得ることができる。
【００２７】
請求項４にかかる考案によれば、太陽電池モジュール裏面の全域中何処にでもケーブルクランプを取り付けることができ、接続ケーブル整理の自由度が高まる。
【００２８】
請求項５にかかる考案によれば、ケーブルクランプはネジ止めなどにより端子ボックスに固定されるので、ケーブルクランプ取付け部の設計の自由度が高まる。
【００２９】
請求項６にかかる考案によれば、一層接続ケーブルが整理整頓され、一層裏面側の見栄えがよく、太陽電池モジュール耐久性の観点からも問題がないケーブルクランプ・端子ボックス付太陽電池モジュールとなる。
【考案を実施するための最良の形態】
【００３０】
以下、図面を参照して本考案の実施例にかかるケーブルクランプ・端子ボックス付太陽電池モジュールをさらに説明する。本考案の実施例に記載した部材や部分の寸法、材質、形状、その相対位置などは、とくに特定的な記載のない限りは、この考案の範囲をそれらのみに限定する趣旨のものではなく、単なる説明例にすぎない。
【００３１】
図１は第１のケーブルクランプ・端子ボックス付太陽電池モジュールの説明図である。以下、「ケーブルクランプ・端子ボックス付太陽電池モジュール」を「クランプ端子付モジュール」と略称する場合がある。
【００３２】
第１のクランプ端子付モジュール１０は、太陽電池モジュール８１と太陽電池モジュール８１の裏面８２に配設した端子ボックス８３と、太陽電池モジュール８１の裏面８２に取付けられた第１ケーブルクランプ１１などを含む。
【００３３】
太陽電池モジュール８１は、板状の表面基材と板状の裏面基材の間に、通常複数の太陽電池セルを挟んだものである。矢印１１２が表面側を示し、矢印１１１が裏面側を示している。
【００３４】
太陽電池モジュール中の太陽電池セルまたは、セルストリングを結ぶ導電線をモジュールの裏面基材に空けた穴から出して、端子ボックス８３の中で、当該導電線と接続ケーブル８６、８７が繋がれている。接続ケーブルの引出し方向は、端子ボックス８３の側面９４を起点としモジュールの裏面に略平行であってもよく、端子ボックスの蓋面８０を起点としモジュールの底面側（矢印１１１の方向）に向かうものであってもよい。ケーブルクランプを用いて、接続ケーブルにおける引出し方向と導出方向を一定角度にする場合は、端子ボックスの側面９４を起点としモジュールの裏面に略平行に引出された接続ケーブルに対して（及びこのような端子ボックスに対して）、本考案の効果を一層発揮できる。
【００３５】
第１ケーブルクランプ１１は、保持部１２と取付け部１３を有する。保持部１２は接続ケーブル８６、８７を保持する役割を担う部分である。図８を参照して、保持部１２は、接続ケーブル８６（８７）の外周の中で、外周の裏面側に相当する部分８９を保持する。同時に外周の側面に相当する部分も保持している。図８は、説明のために、接続ケーブル８６を紙面下方向に移動させて描いている。実際の組み付け状態では、保持部１２の内周と接続ケーブル外周の裏面側８９が接触する。ケーブルの外周の裏面側が保持部に保持されるので、長期間経過しても、ケーブルクランプの劣化などに起因する、ケーブルクランプからの接続ケーブルの外れが減少する。
【００３６】
保持部１２の内周側面に凸部２８、２９が形成されている。組み付け時は、ケーブル８６を図中の上方向に押し込む。この作業時にケーブル８６の被覆が変形して、ケーブル８６が組み付け状態に位置付けられる。組み付け作業後は被覆の外形が復帰し、ケーブル８６の組み付け状態が維持される。凸部２８、２９は、ケーブル８６の接触方向に連続して形成されてもよく、不連続に形成されてもよい。
【００３７】
取付け部１３は、接着剤を用いて太陽電池モジュールの裏面８２に直接接着固定されている。
【００３８】
端子ボックス８３の側面９４から接続ケーブル８６、８７が引出されている。その引出し方向は矢印８８で示している。第一ケーブルクランプ１１で誘導、導出される接続ケーブルの導出方向は矢印１５で示している。太陽電池モジュールの底面に、引出し方向（８８）と導出方向（１５）を投影すると、２つの方向の交差角が１８０度である。本考案と本明細書において、交差角は、２の方向線が交差して作る２つの角度のうちで、数値の小さい方の角度を用いる。
【００３９】
第１ケーブルクランプ１１は、図１に図示した方向から９０度回転して取り付けると、引出し方向（８８）と導出方向（１５）を交差角が９０度とするためのケーブルクランプとして使用できる。また、接着位置を変更し、接続ケーブルの導出方向を図中の上方向にすることにより、当該交差角を０度とするためのケーブルクランプとして使用することもできる。
【００４０】
交差角は太陽光システムや太陽電池モジュールの設計に依存する。このため、交差角は０度から１８０度である。交差角０度であっても、長いケーブルはケーブルクランプを用いて保持することが好ましい。また、一般に、交差角が６０度未満であれば、ガイドなしでもケーブルを曲げることができる。そこで、本考案にかかる交差角は、好ましくは６０度から１８０度であり、より好ましくは８０度から１８０度である。
【００４１】
図２は第２のケーブルクランプ・端子ボックス付太陽電池モジュールの説明図である。紙面が太陽電池モジュールの裏面である。第２のクランプ端子付モジュール２０は、太陽電池モジュールと太陽電池モジュールの裏面に配設した端子ボックス８３と、太陽電池モジュール８１の裏面に取付けられた第２ケーブルクランプ２１などを含む。
【００４２】
第２ケーブルクランプは、取付け部２３が端子ボックス８３の構成部材と接触し、端子ボックス８３を介在して太陽電池モジュール８１の裏面に取付けられている。
【００４３】
端子ボックス８３において、側面９４からケーブルガイド８４が外側に突き出している。接続ケーブル８６、８７はケーブルガイド８４にガイドされ引出されている。接続ケーブル８７は図示の容易化などから、一部を切断して図示しており、切断箇所１２２ａは、切断箇所１２２ｂにつながっている。端子ボックス８３は、一対のケーブルガイド８４、８４の間にクランプ固定ネジ９０を有している。
【００４４】
第２ケーブルクランプ２１は、保持部２２と取付け部２３を有する。取付け部２３の下表面は、端子ボックス８３のケーブルガイド８４などに合致する溝などを有し、端子ボックスの一部表面と嵌り合う。３本の破線矢印１２１は組み付け位置を示している。組み付け位置に位置付けた後に、貫通穴２４からネジを入れ、クランプ固定ネジ９０にネジをネジ止めして、第２ケーブルクランプと端子ボックスを固定する。
【００４５】
保持部２２と接続ケーブル８６（８７）の係合接触状態などは、第１ケーブルクランプ１１において説明した状態と同様である。
【００４６】
端子ボックス８３の側面９４から接続ケーブル８６、８７が引出されている。その引出し方向は矢印８８で示している。第２ケーブルクランプ２１で誘導、導出される接続ケーブルの導出方向は矢印２５で示している。引出し方向（８８）と導出方向（２５）を太陽電池モジュールの底面に投影した方向は、交差角が１８０度である。
【００４７】
図３は他のケーブルクランプ・端子ボックス付太陽電池モジュールの構成部分である第３ケーブルクランプ３１の説明図である。
【００４８】
第３ケーブルクランプ３１は、保持部３２と取付け部３３を含んでいる。平板部分である取付け部３３を太陽電池モジュールの裏面に貼り付けて使用する。貼り付けは、例えば、接着剤を使用する。
【００４９】
２個の保持部３２は断面半円形である。半円部分に接続ケーブルをはめ込むことにより、接続ケーブルを誘導し導出する。保持部３２は、また、平面視で１／４のリング状である。第３ケーブルクランプで保持される接続ケーブルは、入口方向と出口方向が９０度の交差角で交わる。通常は、当該入口方向と端子ボックスの接続ケーブル引出し方向を一致させて配置する。従って、第３ケーブルクランプ３１を構成部分とするケーブルクランプ・端子ボックス付太陽電池モジュールは、端子ボックスにおける接続ケーブル引出し方向と、第３ケーブルクランプにおける接続ケーブル導出方向の交差角が９０度となる。より正確に表現すれば、接続ケーブル引出し方向を太陽電池モジュールの底面に投影した方向と、ケーブルクランプにおける出力ケーブル導出方向を太陽電池モジュールの底面に投影した方向の交差角は９０度である。
【００５０】
また、当該ケーブルの交差は、太陽電池モジュールの底面と平行な面内で生じる。
【００５１】
図３に図示した状態で、保持部３２は紙面に対して上に凸の溝である。紙面に対して上が太陽電池モジュールの裏面側となる。よって、第３ケーブルクランプ３１は接続ケーブル外周の裏面側と少なくとも接触している。
【００５２】
第３ケーブルクランプ３１は補助板３４、３５を備えている。補助板３４、３５には貫通穴３６、３７が貫通している。補助板３４または３５を端子ボックスの一部分に重ね、貫通穴３６からネジを通して、端子ボックスにネジ止め（例えば、図２で説明したネジ９０を使用する）することにより、第３ケーブルクランプ３１を端子ボックスを介在して太陽電池モジュールの裏面に取付けることができる。
【００５３】
２箇所の補助板３４、３５は、通常、どちらか一方を取付けに使用する。また、取付け部３３の接着と上述のネジ止めを両者使用してもよく、どちらか一方のみを使用してもよい。
【００５４】
図４（ａ）は第４のケーブルクランプ・端子ボックス付太陽電池モジュール４０の説明図であり、図４（ｂ）は蓋の平面図である。紙面が太陽電池モジュールの裏面である。第４のクランプ端子付モジュール４０は、太陽電池モジュールと太陽電池モジュールの裏面に配設した端子ボックス８３と、太陽電池モジュールの裏面に取付けられた第４ケーブルクランプ４１などを含む。
【００５５】
第４ケーブルクランプ４１は扁平な箱状の本体４６と蓋４９からなる。蓋４９を本体４６から取り外した状態を図示している。本体４６の底面（太陽電池モジュールとの位置関係で述べれば、太陽電池モジュールの底面に向かい合う面）は取付け部である。本体４６の底面に接着剤を塗布してモジュールの底面に貼り付けて、取付ける。
【００５６】
本体４６は、２つの案内溝４７を有している。案内溝に接続ケーブル８６、８７が嵌め込まれる。そして、蓋４９を重ね、ネジ穴１３１からネジを入れ、ネジ穴１３２にネジ止めすることにより、蓋４９が本体４６に固定される。本体と蓋との固定はネジ止めに限られず、超音波溶融、接着など他の公知の固定手段を使うことができる。案内溝４７には複数の凸部４８を形成してあり、接続ケーブルのより一層の固定を図っている。第４ケーブルクランプ４１における保持部は、本体４６の一部分と蓋４９の一部分である。
【００５７】
第４ケーブルクランプ４１は、その蓋４９の一部分が接続ケーブル外周の裏面側を保持する。
【００５８】
端子ボックス８３と第４ケーブルクランプ４１を、図４に図示した位置関係に配置すると、接続ケーブル８６に関して、端子ボックス８３における接続ケーブル引出し方向（矢印８８ａ）と、第４ケーブルクランプ４１における接続ケーブル導出方向（矢印４５ａ）の交差角が左回りに９０度である。同様に、接続ケーブル８７に関して、端子ボックス８３における接続ケーブル引出し方向（矢印８８ｂ）と、第４ケーブルクランプ４１における接続ケーブル導出方向（矢印４５ｂ）の交差角が右回りに９０度である。従って、交差角の値は、定義（線分が作る２つの角の中で数字が小さい角度）に従えば、両者共に９０度である。より正確に表現すれば、接続ケーブル引出し方向を太陽電池モジュールの底面に投影した方向と、ケーブルクランプにおける出力ケーブル導出方向を太陽電池モジュールの底面に投影した方向の交差角は９０度である。
【００５９】
図５は他のケーブルクランプ・端子ボックス付太陽電池モジュールの構成部分である第５ケーブルクランプ５１の説明図であり、（ａ）は本体の平面図、（ｂ）は本体の正面図、（ｃ）は本体の側面図、（ｄ）は蓋の平面図である。
【００６０】
第５ケーブルクランプ５１は扁平な箱状の本体５６と蓋５９からなる。本体５６の底面（太陽電池モジュールとの位置関係で述べれば、太陽電池モジュールの底面に向かい合う面）は取付け部５３である。取付け部５３に接着剤を塗布してモジュールの底面に貼り付けて、取付ける。
【００６１】
本体５６は、２つの案内溝５７を有している。案内溝に接続ケーブルが嵌め込まれる。そして、蓋５９を重ね、ネジ穴１３１からネジを入れ、ネジ穴１３２にネジ止めすることにより、蓋５９が本体５６に固定される。案内溝５７には複数の凸部５８を形成してあり、接続ケーブルのより一層の固定を図っている。第５ケーブルクランプ５１における保持部は、本体５６の一部分と蓋５９の一部分である。
【００６２】
第５ケーブルクランプ５１は、その蓋５９の一部分が接続ケーブル外周の裏面側を少なくとも保持する。
【００６３】
第５ケーブルクランプ５１の案内溝５７は直線状である。たとえば、端子ボックス８３における接続ケーブル引出し方向と、直線である案内溝の方向を交差角９０度に配置することができる。その他、案内溝の方向を任意方向に向けて配置してもよい。
【００６４】
図６はその他のケーブルクランプ・端子ボックス付太陽電池モジュールの構成部分である第６ケーブルクランプ６１の説明図であり、（ａ）は本体の平面図、（ｃ）は本体の側面図、（ｄ）は蓋の平面図である。
【００６５】
第６ケーブルクランプ６１は扁平な箱状の本体６６と蓋６９からなる。本体６６の底面（太陽電池モジュールとの位置関係で述べれば、太陽電池モジュールの裏面に向かい合う面）は取付け部６３である。取付け部６３に接着剤を塗布してモジュールの底面に貼り付けて、取付ける。
【００６６】
本体６６は、２つの案内溝６７を有している。案内溝に接続ケーブルが嵌め込まれる。そして、蓋６９を重ね、ネジ穴１３１からネジを入れ、ネジ穴１３２にネジ止めすることにより、蓋６９が本体６６に固定される。案内溝６７には複数の凸部６８を形成してあり、接続ケーブルのより一層の固定を図っている。第６ケーブルクランプ６１における保持部は、本体６６の一部分と蓋６９の一部分である。
【００６７】
第６ケーブルクランプ６１は、その蓋６９の一部分が接続ケーブル外周の裏面側を少なくとも保持する。
【００６８】
第６ケーブルクランプ６１の案内溝６７は、平面視半円のリング状である。第６ケーブルクランプで保持される接続ケーブルは、入口方向と出口方向が１８０度の交差角で交わる。通常は、当該入口方向と端子ボックスの接続ケーブル引出し方向を一致させて配置する。従って、第６ケーブルクランプ６１を構成部分とするケーブルクランプ・端子ボックス付太陽電池モジュールは、端子ボックスにおける接続ケーブル引出し方向と、第６ケーブルクランプにおける接続ケーブル導出方向の交差角が１８０度となる。
【００６９】
図７は第７のケーブルクランプ・端子ボックス付太陽電池モジュール７０の説明図である。紙面が太陽電池モジュールの裏面である。第７のクランプ端子付モジュール７０は、太陽電池モジュールと太陽電池モジュールの裏面に配設した中継器兼用端子ボックス９５と、太陽電池モジュールの裏面に取付けられた第７Ｒケーブルクランプ７１、第７Ｌケーブルクランプ７２などを含む。
【００７０】
中継器兼用端子ボックス９５は、４本の接続ケーブル９６、９７、９８、９９を有する。接続ケーブル９６、９７は中継器兼用端子ボックス９５内部で導通している。接続ケーブル９８、９９は中継器兼用端子ボックス９５内部で導通している。また、接続ケーブル９６と９８の間には、太陽電池モジュールのセルストリングが接続されている。例えば、接続ケーブル９７、９８を隣接する太陽電池モジュールの一対の出力ケーブルと接続し、接続ケーブル９６と９９を一対の出力母線と接続する。
【００７１】
第７Ｒケーブルクランプ７１と、第７Ｌケーブルクランプ７２は扁平な箱状の本体と蓋からなり、上述した第４ケーブルクランプ４１と類似した構造である。第７Ｒケーブルクランプ７１は、２つの案内溝を有し、一の接続ケーブル９６が９０度交差する方向に誘導、導出され、他の接続ケーブル９７が、０度交差する方向に誘導、導出される。第７Ｌケーブルクランプ７２は、２つの案内溝を有し、一の接続ケーブル９９が９０度交差する方向に誘導、導出され、他の接続ケーブル９８が、０度交差する方向に誘導、導出される。
【００７２】
以上説明した端子ボックス８３と中継器兼用端子ボックス９５は、接続ケーブルが固定されて引出されているものであってもよく、また、端子ボックスの壁面にコネクタがあり、当該コネクタに接続ケーブルを取付けるものであってもよい。固定的に引出されているものは、接続ケーブルが硬くかつくせが付き難くても、ケーブルクランプを用いてケーブルの一部が固定されると、端子ボックスの貼り付け作業が容易になる。
【００７３】
端子ボックス８３と中継器兼用端子ボックス９５は、通常、逆流防止ダイオードを含んでいる
接続ケーブルは、２芯以上の多芯ケーブルであってもよい。多芯ケーブルを使用する場合には、例えば保持部が１箇所のケーブルクランプを用いることができる。
【００７４】
以上説明したケーブルクランプは、合成樹脂、各種金属など種々の材料で作成することができる。とりわけ、変性ポリフェニレンエーテル、ポリフェニレンエーテルまたはポリフェニレンスルフィドで作成すると、金型成形で作成できるから安価に作成でき、また、対候性に富むなどの観点から、好ましい。
【００７５】
単一の接続ケーブルが保持される箇所は１箇所に限られず、単一の太陽電池モジュールに複数のケーブルクランプを取付け、単一接続ケーブルの複数個所を保持してもよい。
【図面の簡単な説明】
【００７６】
【図１】第１のケーブルクランプ・端子ボックス付太陽電池モジュールの説明図である。
【図２】第２のケーブルクランプ・端子ボックス付太陽電池モジュールの説明図である。
【図３】他のケーブルクランプ・端子ボックス付太陽電池モジュールの構成部分である第３ケーブルクランプ３１の説明図である。
【図４】（ａ）は第４のケーブルクランプ・端子ボックス付太陽電池モジュール４０の説明図であり、（ｂ）は蓋の平面図である。
【図５】第５ケーブルクランプ５１の説明図であり、（ａ）は本体の平面図、（ｂ）は本体の正面図、（ｃ）は本体の側面図、（ｄ）は蓋の平面図である。
【図６】第６ケーブルクランプ６１の説明図であり、（ａ）は本体の平面図、（ｃ）は本体の側面図、（ｄ）は蓋の平面図である。
【図７】第７のケーブルクランプ・端子ボックス付太陽電池モジュール７０の説明図である。
【図８】保持部１２における接続ケーブル８６の保持状態の説明図である。
【図９】２の太陽電池モジュールに並置し、両者接続時の一の接続ケーブルの状態を示す説明図である。
【図１０】２の太陽電池モジュールに並置し、両者接続時の他の接続ケーブルの状態を示す説明図である。
【図１１】２の太陽電池モジュールに並置し、両者接続時のその他の接続ケーブルの状態を示す説明図である。
【図１２】２の太陽電池モジュールに並置し、両者接続時のさらに他の接続ケーブルの状態を示す説明図である。
【符号の説明】
【００７７】
１０  第１のケーブルクランプ・端子ボックス付太陽電池モジュール
１１  第１ケーブルクランプ
１２  保持部
１５  導出方向
２０  第２のケーブルクランプ・端子ボックス付太陽電池モジュール
２１  第２ケーブルクランプ
２２  保持部
２３  取付け部
２５  導出方向
３１  第３ケーブルクランプ
３２  保持部
３３  取付け部
３４、３５  補助板
４０  第４のケーブルクランプ・端子ボックス付太陽電池モジュール
４１  第４ケーブルクランプ
４５ａ、４５ｂ  導出方向
４６  本体
４７  案内溝
４９  蓋
【００７８】
５１  第５ケーブルクランプ
５５  導出方向
５６  本体
５７  案内溝
５９  蓋
６１  第６ケーブルクランプ
６５  導出方向
６６  本体
６７  案内溝
６９  蓋
７０  第７のケーブルクランプ・端子ボックス付太陽電池モジュール
７１  第７Ｒケーブルクランプ
７２  第７Ｌケーブルクランプ
８１  太陽電池モジュール
８２  太陽電池モジュールの裏面
８３  端子ボックス
８６、８７  接続ケーブル
８８  引出し方向
８９  接続ケーブル外周の裏面側
９４  端子ボックスの側面
９５  中継器兼用端子ボックス
９６、９７、９８、９９  接続ケーブル
１１１  裏面側
１１２  表面側
【図１】
0003140226.tif 000003
【図２】
0003140226.tif 000004
【図３】
0003140226.tif 000005
【図４】
0003140226.tif 000006
【図５】
0003140226.tif 000007
【図６】
0003140226.tif 000008
【図７】
0003140226.tif 000009
【図８】
0003140226.tif 000010
【図９】
0003140226.tif 000011
【図１０】
0003140226.tif 000012
【図１１】
0003140226.tif 000013
【図１２】
0003140226.tif 000014